(57)【要約】【課題】効率的、且つ、効果的なダイジェスト再生動作を実現するための情報信号処理装置及び情報信号処理方法を提供することである。【解決手段】所定の情報信号を再生し、この情報信号の再生開始情報を検出し、情報信号から所定の特性信号を検出し、情報信号に含まれる情報の種類または属性を検出し、検出した特性信号に応じて所定の特殊再生を行うための第１の制御信号を生成し、所定の情報の種類または属性を有する所定区間の情報信号に対し、検出した再生開始情報に応じて所定の特殊再生を選択して実行するための第２の制御信号を生成し、生成した第１と第２の制御信号に基づいて特殊再生の制御を行う。【選択図】　図３
2004040145.tif 000002
【特許請求の範囲】
【請求項１】
所定の記録媒体から所定の情報信号を再生する再生手段と、
上記再生手段の再生開始情報を検出する再生検出手段と、
上記情報信号から所定の特性信号を検出する特性信号検出手段と、
上記情報信号に含まれる情報の種類または属性を検出する情報検出手段と、
上記特性信号検出手段で検出した特性信号に応じて所定の特殊再生を行うための特殊再生用制御信号を生成する第１の制御信号生成手段と、
上記情報検出手段で検出した所定の種類または属性を有する所定区間の情報信号に対し、上記再生検出手段で検出した再生開始情報に応じて上記所定の特殊再生を選択して実行するための選択制御信号を生成する第２の制御信号生成手段と、
上記特殊再生用制御信号と上記選択制御信号に基づいて上記所定の特殊再生の制御を行う再生制御手段と、を備えたこと
を特徴とする情報信号処理装置。
【請求項２】
上記所定の情報信号は、画像信号及び／又は音声信号であること
を特徴とする請求項１に記載の情報信号処理装置。
【請求項３】
上記再生検出手段は、上記情報信号の再生開始時刻を検出すること
を特徴とする請求項１に記載の情報信号処理装置。
【請求項４】
上記特性信号検出手段は、上記情報信号に所定の帯域圧縮処理が施されている場合には、該帯域圧縮処理に応じた特有の情報を特性信号として検出すること
を特徴とする請求項１に記載の情報信号処理装置。
【請求項５】
上記再生制御手段は、上記再生手段で再生する情報信号の所定区間をスキップさせて再生すること
を特徴とする請求項１に記載の情報信号処理装置。
【請求項６】
上記情報検出手段は、上記特性信号及び／又は上記情報信号に関するメタデータによって情報の種類または属性を検出すること
を特徴とする請求項１に記載の情報信号処理装置。
【請求項７】
前記第２の制御信号生成手段は、上記再生検出手段で検出した再生開始情報に応じて上記所定の特殊再生の再生時間を可変設定できること
を特徴とする請求項１に記載の情報信号処理装置。
【請求項８】
所定の記録媒体から所定の情報信号を再生し、
上記所定の情報信号の再生開始情報を検出し、
上記情報信号から所定の特性信号を検出し、
上記情報信号に含まれる情報の種類または属性を検出し、
上記検出した特性信号に応じて所定の特殊再生を行うための第１の制御信号を生成し、
上記検出した所定の種類または属性を有する所定区間の情報信号に対し、上記検出した再生開始情報に応じて上記所定の特殊再生を選択して実行するための第２の制御信号を生成し、
上記生成した第１と第２の制御信号に基づいて上記特殊再生の制御を行うことを特徴とする情報信号処理方法。
【請求項９】
上記所定の情報信号は、画像信号及び／又は音声信号であること
を特徴とする請求項８に記載の情報信号処理方法。
【請求項１０】
上記再生開始情報は、上記情報信号の再生開始時刻であること
を特徴とする請求項８に記載の情報信号処理方法。
【請求項１１】
上記情報信号に所定の帯域圧縮処理が施されている場合には、該帯域圧縮処理に応じた特有の情報を特性信号として検出すること
を特徴とする請求項８に記載の情報信号処理方法。
【請求項１２】
上記所定の特殊再生は、上記情報信号の所定区間をスキップさせて再生すること
を特徴とする請求項８に記載の情報信号処理方法。
【請求項１３】
上記情報の種類または属性を検出は、上記特性信号及び／又は上記情報信号に関するメタデータから検出すること
を特徴とする請求項８に記載の情報信号処理方法。
【請求項１４】
前記第２の制御信号は、上記検出した再生開始情報に応じて上記所定の特殊再生の再生時間を変化させて実行するための制御信号を含んでいること
を特徴とする請求項８に記載の情報信号処理方法。
【発明の詳細な説明】
【０００１】
【発明の属する技術分野】
本発明は、映像信号、音声信号などの情報信号を処理する情報信号処理装置及び情報信号処理方法に関するものである。詳しくは、記録した放送番組などのコンテンツを再生する時、コンテンツ内の指定した任意の区間に類似した区間を選択的に再生してスキミング動作を行い、効率的に短時間で所望の内容を把握できる情報信号再生装置及び情報信号再生方法に関するものである。
【０００２】
【従来の技術】
従来技術において、例えば、音声信号、映像信号からビデオ構造を解析し、ダイジェスト再生のような特殊再生を行う公知技術として、特表平１０−５０７５５５「デジタル・オーディオとビデオ・データを走り読みするための方法とそのシステム」、特開平１１−２３９３２２「ビデオブラウジング／ビューイングシステム」、特開２０００−５０２３３「放送型配信方法，その方法をコンピュータに実行させるためのプログラムを記録したコンピュータ読み取り可能な記録媒体及びビデオコンテンツを記録したコンピュータ読み取り可能な記録媒体」などがあり、長時間記録した放送番組などを通常の再生時間よりも短時間でその概要を把握するためのダイジェスト再生を行うことができる。
【０００３】
【発明が解決しようとする課題】
しかしながら、上述したダイジェスト再生を行う場合、記録した放送番組などを再生するときに、再生しようとするビデオ構造の解析だけで再生を行うと、再生時刻によってはユーザーにとってダイジェスト再生で優先順位があまり高くない情報が含まれる可能性がある。
【０００４】
例えば、ニュース番組を考えた場合に、ニュース情報はある時間が経っても、情報としてそれ自体は、優先順位はそれほど低くはならないと考えられるが、天気情報や交通情報は最新の情報がより優先順位が高く、その時間よりも前の情報は最新の情報に代えてダイジェスト再生する方が効率的な場合がある。
【０００５】
従って、本発明は、以上のような観点から、効率的、且つ、効果的なダイジェスト再生動作を実現するための技術を提案するものである。
【０００６】
【課題を解決するための手段】
前記課題を解決するため、本発明に係る情報信号処理装置及び情報信号処理方法は次のような構成にすることである。
【０００７】
（１）所定の記録媒体から所定の情報信号を再生する再生手段と、上記再生手段の再生開始情報を検出する再生検出手段と、上記情報信号から所定の特性信号を検出する特性信号検出手段と、上記情報信号に含まれる情報の種類または属性を検出する情報検出手段と、上記特性信号検出手段で検出した特性信号に応じて所定の特殊再生を行うための特殊再生用制御信号を生成する第１の制御信号生成手段と、上記情報検出手段で検出した所定の種類または属性を有する所定区間の情報信号に対し、上記再生検出手段で検出した再生開始情報に応じて上記所定の特殊再生を選択して実行するための選択制御信号を生成する第２の制御信号生成手段と、上記特殊再生用制御信号と上記選択制御信号に基づいて上記所定の特殊再生の制御を行う再生制御手段と、を備えたことを特徴とする情報信号処理装置。
（２）上記所定の情報信号は、画像信号及び／又は音声信号であることを特徴とする（１）に記載の情報信号処理装置。
（３）上記再生検出手段は、上記情報信号の再生開始時刻を検出することを特徴とする（１）に記載の情報信号処理装置。
（４）上記特性信号検出手段は、上記情報信号に所定の帯域圧縮処理が施されている場合には、該帯域圧縮処理に応じた特有の情報を特性信号として検出することを特徴とする（１）に記載の情報信号処理装置。
（５）上記再生制御手段は、上記再生手段で再生する情報信号の所定区間をスキップさせて再生することを特徴とする（１）に記載の情報信号処理装置。
（６）上記情報検出手段は、上記特性信号及び／又は上記情報信号に関するメタデータによって情報の種類または属性を検出することを特徴とする（１）に記載の情報信号処理装置。
（７）前記第２の制御信号生成手段は、上記再生検出手段で検出した再生開始情報に応じて上記所定の特殊再生の再生時間を可変設定できることを特徴とする（１）に記載の情報信号処理装置。
【０００８】
（８）所定の記録媒体から所定の情報信号を再生し、上記所定の情報信号の再生開始情報を検出し、上記情報信号から所定の特性信号を検出し、上記情報信号に含まれる情報の種類または属性を検出し、上記検出した特性信号に応じて所定の特殊再生を行うための第１の制御信号を生成し、上記検出した所定の種類または属性を有する所定区間の情報信号に対し、上記検出した再生開始情報に応じて上記所定の特殊再生を選択して実行するための第２の制御信号を生成し、上記生成した第１と第２の制御信号に基づいて上記特殊再生の制御を行うことを特徴とする情報信号処理方法。
（９）上記所定の情報信号は、画像信号及び／又は音声信号であることを特徴とする（８）に記載の情報信号処理方法。
（１０）上記再生開始情報は、上記情報信号の再生開始時刻であることを特徴とする（８）に記載の情報信号処理方法。
（１１）上記情報信号に所定の帯域圧縮処理が施されている場合には、該帯域圧縮処理に応じた特有の情報を特性信号として検出することを特徴とする（８）に記載の情報信号処理方法。
（１２）上記所定の特殊再生は、上記情報信号の所定区間をスキップさせて再生することを特徴とする（８）に記載の情報信号処理方法。
（１３）上記情報の種類または属性を検出は、上記特性信号及び／又は上記情報信号に関するメタデータから検出することを特徴とする（８）に記載の情報信号処理方法。
（１４）前記第２の制御信号は、上記検出した再生開始情報に応じて上記所定の特殊再生の再生時間を変化させて実行するための制御信号を含んでいることを特徴とする（８）に記載の情報信号処理方法。
【０００９】
上述した情報信号処理装置及び情報信号処理方法により、所定の情報信号を再生し、この情報信号の再生開始情報を検出し、情報信号から所定の特性信号を検出し、情報信号に含まれる情報の種類または属性を検出し、検出した特性信号に応じて所定の特殊再生を行うための第１の制御信号を生成し、所定の情報の種類または属性を有する所定区間の情報信号に対し、検出した再生開始情報に応じて所定の特殊再生を選択して実行するための第２の制御信号を生成し、生成した第１と第２の制御信号に基づいて特殊再生の制御を行うことで、再生を開始する時点に応じて特殊再生する所望の情報信号を選択し、特殊再生の再生時間を変化させるなどの処理を施すことができるので、効率的、且つ、効果的な特殊再生が可能となる。
【００１０】
【発明の実施の形態】
次に、本発明に係る情報信号処理装置及び情報信号処理方法の実施の形態について図面を参照して説明する。但し、図面は専ら解説のためのものであって、本発明の技術的範囲を限定するものではない。
【００１１】
（発明の概要）
本発明は、例えば、ニュース番組などをダイジェスト再生する場合に、再生時刻に応じて、その時刻よりも過去の天気情報など、その再生時刻においてユーザーにとっては情報取得の優先度が低いものを選択的に処理することで効率的に効果的にダイジェスト再生を行うものである。
【００１２】
本発明の実施の形態について図面を用いて以下の順序で説明する。
［１］情報信号処理の概要
［２］ブロック図
［３］動作フローチャート
【００１３】
［１］情報信号処理の概要
ここでは、幾つかのニュース番組を記録して、ダイジェスト再生を行う場合の情報信号処理の概要について説明する。
【００１４】
図１は、情報信号処理の概要を説明するための説明図であり、情報信号処理装置の記録媒体に記録されているコンテンツとして、ニュース番組１〜４が記録されている状態を略示的に示したものである。
【００１５】
ニュース番組１〜４は、それぞれ次のような情報が含まれているものとする。ニュース番組１にはニュース情報１と天気情報１、ニュース番組２にはニュース情報２と天気情報２、ニュース番組３にはニュース情報３と天気情報３、ニュース番組４にはニュース情報４と天気情報４が含まれている。また、各ニュース番組１〜４の記録開始時刻は、ニュース番組１は６：００〜、ニュース番組２は７：００〜、ニュース番組３は１２：００〜、ニュース番組４は１９：００〜である。
【００１６】
このように情報信号処理装置の記録媒体に記録されているニュース番組１〜４をダイジェストで再生し、その日におけるニュースを短時間で知りたい場合、１９：００のニュース番組だけを見ることも考えられるが、一つのニュース番組で、一日のすべてのニュース情報が放送されるとは、限らないし、午前のニュースは、前日の午後から夜にかけて起きたニュースなども放送されるので、午前と午後のニュース番組を含めてダイジェスト再生することで、１日のニュース情報をカバーできることになる。
【００１７】
従って、長時間記録した放送番組などを通常の再生時間よりも短時間でその概要を把握するためにできるだけ効率よくダイジェスト再生を行いたいので、この場合、ニュース番組１〜４のうち、例えば、ニュース情報１〜４をダイジェスト再生し、再生を開始する時点では過去の天気情報である天気情報１〜３はダイジェスト再生せず、最新の天気情報４のみをダイジェスト再生するものとする。
【００１８】
このように、記録した情報を再生する場合、所定のコンテンツの再生を開始する時点（再生時刻）に応じて、ダイジェスト再生を行う情報を選択して再生処理（スキップ、再生時間の短縮などの設定）を施すことで、効率的で効果的なダイジェスト再生が実現できることになる。
【００１９】
（コンテンツ情報の選択方法）
次に、コンテンツ情報の選択方法を説明する。例えば、上述のニュース番組における天気情報などのコンテンツ情報を選択する場合、事前に記録してある天気情報を参照情報として、記録或いは再生を開始する時点においてマッチングなどの手法により行うことができる。
【００２０】
なお、選択されるコンテンツ情報は、上記の天気情報と同様に、例えば、交通情報など、リアルタイム性の高い情報が主な対象となるものと考えられる。
【００２１】
図２は、コンテンツ選択方法の一例を略示的に示した説明図である。情報信号処理装置によって記録媒体に記録されている画像情報１、２、３、・・・２９・・・は、上述したようなニュース番組（図１参照）などのコンテンツであり、この画像情報のうち、画像情報１〜３、１４〜１６、２７〜２９が各ニュース番組のうちの天気情報を記録した情報区間に対応するものである。
【００２２】
例えば、ユーザーがこのコンテンツを見ているときに、リモコンなどの所定の操作手段を操作することにより、この天気情報の情報区間（例えば、画像情報１〜３）における所定の特徴データが情報信号処理装置の所定のメモリー手段に記憶される。
【００２３】
その後は、図２に示すように、所定の情報区間毎の特徴データと、メモリー手段に記憶した情報区間（例えば、画像情報１〜３）の特徴データとの相関演算を行い、相関演算値が所定しきい値より小さい情報区間が、画像情報１〜３の情報区間と類似する情報区間（この場合、天気情報区間）であると判定できる。
【００２４】
なお、映像信号や音声信号が帯域圧縮処理が施されている場合は、その帯域圧縮処理に応じた特有の情報を特性データとして抽出する。
【００２５】
音声信号の場合は、所定の情報区間、例えば、１秒位の情報区間におけるスペクトルピーク周波数などを特徴データとして用いることができる。
【００２６】
映像信号の場合は、ＭＰＥＧ（Ｍｏｔｉｏｎ　Ｐｉｃｔｕｒｅ　ｉｍａｇｅ　ｃｏｒｄｉｎｇ　Ｅｘｐｅｒｔｓ　Ｇｒｏｕｐ）のＤＣＴ（Ｄｉｓｃｒｅｔｅ　Ｃｏｓｉｎｅ　Ｔｒａｎｓｆｏｒｍ）のＤＣ係数（直流成分）、動きベクトルなどを特徴データとして使用することが可能であり、ＤＣＴ係数（Ｄｉｓｃｒｅｔｅ　Ｃｏｓｉｎｅ　Ｔｒａｎｓｆｏｒｍ係数）を用いる場合には、Ｉピクチャーにおけるフレームを例えば、１６分割し、その各分割領域における、平均ＤＣ係数としたり、動きベクトルの場合は、ＢピクチャーやＰピクチャーにおける動きベクトルの平均スカラー値を特徴データとして用いることができる。
【００２７】
また、記録されている情報それ自体にメタデータがある場合には、上記のような相関演算を行うことなく、所定のメタデータを検出することで、例えば、ニュース番組における天気情報の情報区間であることが容易に判定できる。
【００２８】
［２］ブロック図
次に、本発明を適用した情報信号処理装置の構成を示すブロック図の一例を示す。
【００２９】
図３に示す情報信号処理装置１００は、音声Ａ／Ｄ変換処理系１０１と、音声エンコーダー処理系１０２と、多重化処理系１０３と、記録処理系１０４と、記録媒体系１０５と、映像Ａ／Ｄ変換処理系１０６と、映像エンコーダー系１０７と、再生制御系１０８と、音声信号特徴抽出系１０９と、映像信号特徴抽出系１１０と、再生処理系１１１と、再生データ分離処理系１１２と、音声デコード処理系１１３と、音声Ｄ／Ａ処理系１１４と、映像デコード処理系１１５と、映像Ｄ／Ａ処理系１１６と、識別信号検出系１１７と、システムコントローラー１１８と、ユーザー入力Ｉ／Ｆ系１１９と、を備えている。
【００３０】
音声Ａ／Ｄ変換処理系１０１は、放送番組などの音声信号を所定のＡ／Ｄ変換処理し、音声エンコーダー処理系１０２や音声信号特徴抽出系１０９に入力する。
【００３１】
音声エンコーダー処理系１０２は、音声Ａ／Ｄ変換処理系１０１でＡ／Ｄ変換された音声信号をエンコード処理し、多重化処理系１０３や音声信号特徴抽出系１０９に入力する。
【００３２】
多重化処理系１０３は、音声エンコーダー処理系１０２、映像エンコーダー系１０７でエンコード処理された音声信号や映像信号、映像信号特徴抽出系１１０で特徴抽出処理した音声特徴データや映像特徴データ、システムコントローラー１１８で所定の相関演算（或いは所定のベクトル演算）処理された音声特徴データや映像特徴データなどを多重化処理して記録処理系１０４へ入力する。
【００３３】
記録処理系１０４は、多重化処理系１０３からの多重化信号に所定の記録処理をして記録媒体系１０５に送出する。
【００３４】
記録媒体系１０５は、記録処理系１０４で記録処理された多重化信号をハードディスクなどの記録媒体に記録する。また、再生制御系１０８からの制御指示に従い、記録したデータを再生処理系１１１に入力する。
【００３５】
映像Ａ／Ｄ変換処理系１０６は、放送番組などの映像信号を所定のＡ／Ｄ変換処理し、映像エンコーダー処理系１０７や映像信号特徴抽出系１１０に入力する。
【００３６】
映像エンコーダー系１０７は、映像Ａ／Ｄ変換処理系１０６でＡ／Ｄ変換された映像信号をエンコード処理し、多重化処理系１０３や映像信号特徴抽出系１１０に入力する。
【００３７】
再生制御系１０８は、システムコントローラー１１８に従い、記録媒体１０５に対して、記録してあるデータの中から所定のデータを再生処理系１１１に送出するよう制御する。
【００３８】
音声信号特徴抽出系１０９は、音声エンコーダー系１０１や音声エンコーダー処理系１０２で処理された音声信号から所定の特徴を抽出した音声特徴データを多重化処理系１０３やシステムコントローラー１０８に入力する。
【００３９】
映像信号特徴抽出系１１０は、映像エンコーダー系１０６や映像エンコーダー系１０７で処理された映像信号から所定の特徴を抽出した映像特徴データを多重化処理系１０３やシステムコントローラー１０８に入力する。
【００４０】
再生処理系１１１は、記録媒体系１０５から送られてくるデータを再生処理して再生データ分離処理系１１２に入力する。
【００４１】
再生データ分離処理系１１２は、再生処理系１１１から送られてくるデータを音声データと映像データに分離処理して、それぞれ音声デコード処理系１１３、映像デコード処理系１１５に入力するとともに、識別信号検出系１１７に入力する。
【００４２】
音声デコード処理系１１３は、再生データ分離処理系１１２で分離処理された音声データをデコード処理して音声Ｄ／Ａ処理系１１４に入力する。
【００４３】
音声Ｄ／Ａ処理系１１４は、音声デコード処理系１１３でデコード処理された音声データをアナログの音声信号に変換して出力する。
【００４４】
映像デコード処理系１１５は、再生データ分離処理系１１３で分離処理された音声データをデコード処理して音声Ｄ／Ａ処理系１１４に入力する。
【００４５】
映像Ｄ／Ａ処理系１１６は、映像データ分離処理系１１２で分離処理された映像データをデコード処理して映像Ｄ／Ａ処理系１１４に入力する。
【００４６】
識別信号検出系１１７は、再生データ分離処理系１１２から送られてくる音声データと映像データからダイジェスト再生に関する所定の識別信号（メタデータ、特殊ダイジェスト再生のモード、サブ区間検出用の識別信号、ダイジェスト再生用ＩＤなど）を検出してシステムコントローラー１１８に入力する。
【００４７】
システムコントローラー１１８は、多重化処理系１０３、再生制御系１０８、音声特徴抽出系１０９、映像信号特徴抽出系１１０、識別信号検出系１１７、ユーザー入力Ｉ／Ｆ系１１９と接続され、システム全体の制御を行う。
【００４８】
上述の各系と接続されたシステムコントローラー１１８は、映像信号や音声信号を記録するとき、音声信号特徴抽出系１０９、映像信号特徴抽出系１１０に対し音声特徴データ、映像特徴データを抽出するように指示し、抽出した音声特徴データ、映像特徴データを所定のメモリーに記憶し、逐次、所定の相関演算を行う。或いは、各特徴抽出データを成分としたベクトルデータとした場合には、所定のベクトル距離演算を行う。
【００４９】
また、多重化処理部１０３を制御し、音声信号や映像信号とともに、所定の相関演算（或いは、所定のベクトル距離演算）を行った音声特徴データ、映像特徴データの多重化処理の指示を送る。
【００５０】
一方、映像信号や音声信号を再生するときは、ユーザー入力Ｉ／Ｆ系１１９から再生コマンドを受け付けると、内部のタイマー（図示せず）によってコマンド受付時刻など再生開始情報を検出し、再生制御系１０８に対して、記録媒体系１０５に記録した所定のデータを再生処理系１１１に送出するように指示を送り、また、識別信号検出系１１７から送られてくる識別信号に基づいて所定のダイジェスト再生を実行するように指示を送る。
【００５１】
ユーザー入力Ｉ／Ｆ系１１９は、ダイジェスト再生する情報区間を指定したり、ユーザーによる機器の制御指示をシステムコントローラー１１８に入力する。
【００５２】
次に、このような構成の情報信号処理装置１００における特殊再生の動作概要について説明する。
【００５３】
放送番組などの音声信号は、音声Ａ／Ｄ変換処理系１０１で所定のＡ／Ｄ変換がなされた後、音声エンコーダー処理系１０２で所定のエンコーダー処理がなされ、このＡ／Ｄ変換処理された信号、または、エンコード処理された信号は、音声信号特徴抽出系１０９に入力され、所定の特徴抽出が行われる。
【００５４】
上述と同様、放送番組などの映像信号は、映像Ａ／Ｄ変換処理系１０６で所定のＡ／Ｄ変換がなされた後、映像エンコーダー処理系１０７で所定のエンコーダー処理がなされ、このＡ／Ｄ変換処理された信号、または、エンコード処理された信号は、映像信号特徴抽出系１１０に入力され、所定の特徴抽出が行われる。
【００５５】
また、ユーザー入力Ｉ／Ｆ系１１９を介して、あらかじめ音声特徴データ抽出系１０９や映像特徴データ抽出系１１０で抽出してある特徴データをシステムコントローラー系１１８内の所定のメモリーに記憶する。
【００５６】
そして、抽出された特徴データは、逐次、システムコントローラー系１１８において、所定のメモリーに記憶された特徴データと所定の相関演算、或いは、所定のベクトル距離演算が行われる。
【００５７】
一方、エンコード処理された映像信号／音声信号は、所定の多重化処理系１０３、記録処理系１０４などを経て、記録媒体系１０５に記録される。
【００５８】
コンテンツの再生時は、ユーザーＩ／Ｆ系１１９を介して、再生動作（再生開始）コマンドをシステムコントローラー系１１８に入力すると、システムコントローラー系１１８の内部タイマーなどでコマンド受付時刻などの再生開始情報が検出される。
【００５９】
そして、特殊再生（ダイジェスト再生）の場合は、検出した再生開始情報（再生開始時刻）に応じ、システムコントローラー系１１８が、再生制御系１０８を介して記録媒体系１０５から送られてくるデータに対して特殊再生制御を行う。
【００６０】
［３］動作フローチャート
続いて、情報信号処理装置（図３参照）の具体的な動作フローについて、図４〜図８を参照しながら説明する。
【００６１】
まず、情報信号処理装置１００に情報信号（映像信号、音声信号）を記録する記録モードにおける動作について図４を参照しながら説明する。
【００６２】
ユーザー入力Ｉ／Ｆ系１９を介して指定された所定の情報区間（例えば、上述した天気情報区間など）であるサブ区間の検出状態を示す識別信号の検出を判別するフラグｓｕｂに初期設定値「０」を設定する。
【００６３】
次に、動作モードが、記録モードであるか、再生モードであるかの判別処理を行う（ＳＴ１０１）。動作モードが再生モードの場合は、再生処理へ移行する（図５の▲２▼参照）。
【００６４】
動作モードが記録モードの場合は、装置が記録モードに設定され、入力される音声信号や映像信号を記録すると共に、ダイジェスト再生用の特徴データの抽出を行う（ＳＴ１０２）。
【００６５】
次に、ダイジェスト再生しようとする所定の情報区間（例えば、上述したニュース番組である場合、ニュース情報区間と天気情報区間）であるプログラム区間の特徴抽出処理を行う（ＳＴ１０３）。
【００６６】
続いて、サブ区間（例えば、天気情報区間）検出用の識別信号が検出されたか否かをフラグｓｕｂによって判別する（ＳＴ１０４）。
【００６７】
フラグｓｕｂがｓｕｂ≠０の場合は、所定の情報区間（プログラム区間）が終了したか否かの判定処理に移る（ＳＴ１０４→ＳＴ１１５）。
【００６８】
フラグｓｕｂがｓｕｂ＝０の場合、サブ区間を検出するか否かの判別を行う（ＳＴ１０５）。
【００６９】
ここで、サブ区間の検出を行う場合、サブ区間の検出判定を行い、サブ区間の情報信号が検出されたか否かを判定する（ＳＴ１０６）。
【００７０】
サブ区間検出用の識別信号（特徴抽出データから検出も可能）が検出されたら、サブ区間の情報信号の特徴抽出データを所定のメモリーに記録しておく（ＳＴ１０７，ＳＴ１０８）。
【００７１】
そして、サブ区間の検出及びメモリーへの記録を示す表示を装置のパネル面などに液晶表示手段で表示する（ＳＴ１０９）。
【００７２】
そして、サブ区間検出用の識別信号を検出したので、フラグ処理として、フラグｓｕｂを「１」とする（ＳＴ１１０）。
【００７３】
もし、サブ区間の検出判定（ＳＴ１０６）で、サブ区間検出用の識別信号が検出されない場合、所定の情報区間（プログラム区間）が終了したか否かの判定処理に移る（ＳＴ１０６→ＳＴ１１５）。
【００７４】
一方、サブ区間の検出を行わない場合は、次に、メタデータの有無を判別する（ＳＴ１０５→ＳＴ１１１）。
【００７５】
メタデータがある場合、メタデータからサブ区間の検出が可能であるので、これを示す表示を装置のパネル面などに液晶表示手段で表示する（ＳＴ１１２）。
【００７６】
そして、メタデータを検出したので、フラグ処理として、フラグｓｕｂを「２」とする（ＳＴ１１３）。
【００７７】
もし、メタデータがない場合は、サブ区間の検出ができない状態であるので、フラグ処理として、フラグｓｕｂを「０」のままにする（ＳＴ１１１→ＳＴ１１４）。
【００７８】
続いて、所定の情報区間（プログラム区間）の記録が終了したか否かの判定処理（ＳＴ１１５）を行う。
【００７９】
所定の情報区間（プログラム区間）の記録が終了していない場合、続いて、動作モードを変更するか否かを選択する（ＳＴ１１８）。
【００８０】
動作モードを変更しない場合は、再度、ダイジェスト再生しようとする情報区間の特徴抽出処理を開始する（ＳＴ１１８→ＳＴ１０３→・・・）。
【００８１】
動作モードを変更する場合は、再度、動作モード判別処理へ移行する（ＳＴ１１８→ＳＴ１０１）。
【００８２】
一方、所定の情報区間（プログラム区間）が終了した場合、検出した特徴抽出データに基づいたダイジェスト再生用のＩＤを生成する（ＳＴ１１６）。
【００８３】
記録した情報信号を再生する場合、この生成したダイジェスト再生用のＩＤに基づいて所定の情報区間をダイジェスト再生し、このＩＤ以外の情報区間は、スキップ処理、すなわち、スキップ再生処理が行われる。
【００８４】
そして、記録モードを終了するか否かを選択する（ＳＴ１１７）。
【００８５】
記録モードを終了する場合は、動作終了となり、記録モードを終了しない場合は、動作モードを変更するか否かを選択する（ＳＴ１１８）。
【００８６】
動作モードを変更しない場合は、再度、ダイジェスト再生しようとする情報区間の特徴抽出処理を開始する（ＳＴ１１８→ＳＴ１０３→・・・）。
【００８７】
動作モードを変更する場合は、再度、動作モード判別処理へ移行する（ＳＴ１１８→ＳＴ１０１）。
【００８８】
次に、情報信号処理装置１００の再生モードのうち、通常再生モードで再生処理を行う場合の動作について図５を参照しながら説明する。
【００８９】
上述の図４の動作モード判別処理（ＳＴ１０１）で、動作モードが再生モードであると判別されると、再生処理が開始される。
【００９０】
続いて、再生処理が、通常再生モードであるか、ダイジェスト再生モードであるかを判別する（ＳＴ２００）。
【００９１】
ダイジェスト再生モードの場合は、ダイジェスト再生モードであることを、装置の液晶パネル面などに表示し、ダイジェスト再生処理へ移行する（図６の▲３▼参照）。
【００９２】
通常再生モードの場合は、通常再生処理を開始し（ＳＴ２０１）、続いて、サブ区間（例えば、天気情報区間）の検出状態をフラグｓｕｂによって判別する（ＳＴ２０２）。
【００９３】
フラグｓｕｂがｓｕｂ≠０の場合、通常再生処理を終了するか否かの判定処理に移る（ＳＴ２０２→ＳＴ２０９）。
【００９４】
フラグｓｕｂがｓｕｂ＝０の場合、次にサブ区間を検出するか否かを判別する（ＳＴ２０３）。
【００９５】
サブ区間を検出しない場合、通常再生処理を終了するか否かの判定処理に移る（ＳＴ２０３→ＳＴ２０９）。
【００９６】
サブ区間の検出を行う場合、サブ区間の検出判定を行い、サブ区間検出用の識別信号が検出されたか否かを判定する（ＳＴ２０４）。
【００９７】
サブ区間検出用の識別信号（特徴抽出データから検出も可能）が検出されたら、特徴抽出データを所定のメモリーに記録しておく（ＳＴ２０５，ＳＴ２０６）。
【００９８】
そして、サブ区間の検出及びメモリーへの記録を示す表示を装置のパネル面などに液晶表示手段で表示する（ＳＴ２０７）。
【００９９】
そして、サブ区間検出用の識別信号を検出したので、フラグ処理として、フラグｓｕｂを「１」とする（ＳＴ２０８）。
【０１００】
もし、サブ区間の検出判定（ＳＴ２０４）で、サブ区間検出用の識別信号が検出されない場合、通常再生処理を終了するか否かの判定処理に移る（ＳＴ２０４→ＳＴ２０９）。
【０１０１】
そして、通常再生処理を終了するか否かの判定処理を行う（ＳＴ２０９）。
【０１０２】
通常再生処理を終了する場合は、動作終了となり、通常再生処理を終了しない場合は、動作モードを変更するか否かを選択する（ＳＴ２１０）。
【０１０３】
そして、動作モードを変更する場合は、再度、動作モード判別処理で再生モードを選択し、再生処理ルーチンへ移行する（ＳＴ２１０→図４▲１▼のＳＴ１０１）、又は、記録モードで新たな情報区間（プログラム区間）の処理を行う（ＳＴ１１８→ＳＴ１０１→・・・）。
【０１０４】
動作モードを変更しない場合は、再度、再生処理を開始する（ＳＴ２１０→ＳＴ２０１→・・・）。
【０１０５】
尚、メータデータがない場合など、記録時にサブ区間を検出しなくても、映像信号の再生を行い、その再生画像を見ながら、ニュース番組の天気情報区間を知ることができるので、一度、天気情報区間を見て、この情報区間を検出するための識別信号を検出してもよい。また、サブ区間（天気情報区間など）の情報信号を検出したら、通常再生は止めてもよいし、そのまま通常再生を続けてもよく、ユーザーが任意に決めることができる。
【０１０６】
次に、情報信号処理装置１００の再生モードのうち、ダイジェスト再生モードで再生処理を行う場合の動作について図６を参照しながら説明する。
【０１０７】
上述の図５の再生処理モード判別処理（ＳＴ２００）で、再生処理がダイジェスト再生モードであると判別されると、ダイジェスト再生処理が開始される。
【０１０８】
そして、ダイジェスト再生モードであることを、装置の液晶パネル面などに表示し、ダイジェスト再生するための表示処理を行う（ＳＴ３００）。
【０１０９】
続いて、ダイジェスト再生が、「通常」モードか「特殊」モードかの判別を行う（ＳＴ３０１）。
【０１１０】
「特殊」モードのダイジェスト再生である場合、サブ区間（例えば、天気情報区間）の検出状態をフラグｓｕｂによって判定する（ＳＴ３０２）。
【０１１１】
フラグｓｕｂがｓｕｂ＝０の場合、サブ区間検出用の識別信号を検出していない状態であるので警告処理を行い、装置の液晶パネル面や音声などによって警告を出力し、「通常」モードのダイジェスト再生に移行する（ＳＴ３２０→ＳＴ３２１）。
【０１１２】
フラグｓｕｂがｓｕｂ≠０の場合、サブ区間検出用の識別信号を検出した状態であり、続いて、再生開始情報として現時刻の検出処理を行う（ＳＴ３０３）。
【０１１３】
現時刻の検出処理に続いて、「特殊」モードにおけるモード選択を行う（ＳＴ３０４）。
【０１１４】
「特殊」モードのダイジェスト再生には、サブ区間のダイジェスト再生時間の短縮率が一定であるモード１と、再生を開始する時点に応じてこの短縮率を変化させる「モード２」がある。
【０１１５】
そして、モード選択に応じてそれぞれのモードの表示処理を行う（ＳＴ３０５又はＳＴ３０６）。
【０１１６】
続いて、サブ区間か通常のダイジェスト再生を行う所定の情報区間かを判別するための処理を開始する（ＳＴ３０７）。
【０１１７】
次に、所定の情報区間であるか否かを判断する（ＳＴ３０８）。
【０１１８】
所定の情報区間でない場合、即ち、サブ区間である場合は、ダイジェスト再生におけるモード別再生処理へ移行する（図７▲５▼参照）。
【０１１９】
所定の情報区間である場合、引き続いて、ダイジェスト再生用のＩＤの検出を行う（ＳＴ３０９）。
【０１２０】
ダイジェスト再生用のＩＤを検出した場合は、通常のダイジェスト再生処理を行い（ＳＴ３１０）、ＩＤを検出しない場合は、再生処理を行わずにその部分をスキップするスキップ処理を行う（ＳＴ３１１）。
【０１２１】
そして、「特殊」モードのダイジェスト再生処理を終了するか否かの判定処理を行う（ＳＴ３１２）。
【０１２２】
「特殊」モードのダイジェスト再生処理を終了する場合は、動作終了となり、「特殊」モードのダイジェスト再生処理を終了しない場合は、動作モードを変更するか否かを選択する（ＳＴ３１３）。
【０１２３】
そして、動作モードを変更する場合は、再度、動作モード判別処理へ移行する（ＳＴ３１３→図４▲１▼のＳＴ１０１）。
【０１２４】
動作モードを変更しない場合は、再度、サブ区間かダイジェスト再生する所定の情報区間かを判別するための処理を開始する（ＳＴ３１３→ＳＴ３０７→・・・）。
【０１２５】
一方、上述した「通常」モードか「特殊」モードであるのかを判別し（ＳＴ３０１）、「通常」モードのダイジェスト再生処理である場合、まず、ダイジェスト再生用のＩＤの検出を行う（ＳＴ３２２）。
【０１２６】
ダイジェスト再生用のＩＤを検出した場合は、通常のダイジェスト再生処理を行い（ＳＴ３２３）、ＩＤを検出しない場合は、再生処理を行わずにその部分をスキップするスキップ処理を行う（ＳＴ３２４）。
【０１２７】
そして、「通常」モードのダイジェスト再生処理を終了するか否かの判定処理を行う（ＳＴ３２５）。
【０１２８】
「通常」モードのダイジェスト再生処理を終了する場合は、動作終了となり、「通常」モードのダイジェスト再生処理を終了しない場合は、動作モードを変更するか否かを選択する（ＳＴ３２６）。
【０１２９】
そして、動作モードを変更する場合は、再度、動作モード判別処理へ移行する（ＳＴ３２６→図４▲１▼のＳＴ１０１）。
【０１３０】
動作モードを変更しない場合は、再度、サブ区間かダイジェスト再生する所定の情報区間かを判別するための処理を開始する（ＳＴ３１３→ＳＴ３０７→・・・）。
【０１３１】
「通常」モードのダイジェスト再生では、ニュース情報区間、天気情報区間（サブ区間）の区別なく、ダイジェスト再生用のＩＤを有する情報区間を検出して、通常のダイジェスト再生又はスキップ再生を行う。
【０１３２】
また、「特殊」モードのダイジェスト再生であるのに、判定により、ｓｕｂ＝０であった場合は、サブ区間検出用の識別信号が検出されていないので、警告を出力（表示、音などを適宜組み合わせる）する。
【０１３３】
次に、上述した「特殊」モードのダイジェスト再生において、モード１と「モード２」によるダイジェスト再生処理の動作について図７を参照しながら説明する。
【０１３４】
上述の図６において、サブ区間かダイジェスト再生する所定の情報区間かを判別するための処理（ＳＴ３０８）で、サブ区間と判別されると、「特殊」モードのダイジェスト再生におけるモード別再生処理を開始する。
【０１３５】
「特殊」モードのダイジェスト再生には、サブ区間の再生時間の短縮率が一定である「モード１」と、再生を開始する時点に応じてサブ区間の再生時間の短縮率を変化させる「モード２」がある。
【０１３６】
まず、「特殊」モードのダイジェスト再生が「モード１」か「モード２」かの判別を行う（ＳＴ４００）。
【０１３７】
「モード１」である場合、所定の同一短縮率の設定処理を行い（ＳＴ４０１）、続いて、サブ区間内にあるダイジェスト再生用ＩＤの個数を検出し（ＳＴ４０２）、そのうちの所定の個数を選択し、選択したＩＤのサブ区間に対して所定の同一短縮率を設定する（ＳＴ４０３）。
【０１３８】
そして、再生処理を開始すると、ダイジェスト再生用ＩＤの検出を行う（ＳＴ４０４）。
【０１３９】
ダイジェスト再生用ＩＤが検出されると、検出したＩＤに基づいて所定の情報区間のダイジェスト再生を行うと、選択されたＩＤのサブ区間は所定の同一短縮率でダイジェスト再生が行われ、選択されたＩＤ以外のＩＤを有する情報区間は通常のダイジェスト再生が行われる（ＳＴ４０５）。
【０１４０】
ダイジェスト再生用ＩＤが検出されない場合、スキップ再生処理が行われる（ＳＴ４０６）。
【０１４１】
そして、「モード１」でのダイジェスト再生を終了する場合は、動作終了となり、記録モードを終了しない場合は、動作モードを変更するか否かを選択する（ＳＴ１１８）。
【０１４２】
動作モードを変更しない場合は、再度、区間判別処理へ移行する（ＳＴ４０８→図６▲４▼のＳＴ３０７→・・・）。
【０１４３】
動作モードを変更する場合は、再度、動作モード判別処理へ移行する（ＳＴ４０８→図４▲１▼のＳＴ１０１）。
【０１４４】
例えば、図８（ａ）のように、上述した天気情報などのサブ区間１〜３を有している場合、サブ１とサブ２に同一の短縮率１００％（即ち、再生時間がゼロ）が設定され、「モード１」の「特殊」ダイジェストモードで再生すると、サブ１とサブ２は再生されず、サブ３のみダイジェスト再生が行われる。
【０１４５】
一方、「モード２」である場合、まず、ダイジェスト再生するサブ区間の時間ｔｐを検出する（ＳＴ４１０）。なお、時間ｔｐは、記録データのタイムコードやタイムスタンプなどから知ることができる。
【０１４６】
続いて、再生しようとする現時点の時刻ｔｎｏｗと検出したダイジェスト再生しようとするサブ区間の時間ｔｐに基づいて演算処理（ｔｎｏｗ−ｔｐ）を行う（ＳＴ４１１）。
【０１４７】
そして、演算処理（ｔｎｏｗ−ｔｐ）の結果に応じて所定の短縮率の設定処理を行い（ＳＴ４１２）、続いて、サブ区間内にあるダイジェスト再生用ＩＤの個数を検出し（ＳＴ４１３）、そのうちの所定の個数を選択し、選択したＩＤのサブ区間に対して演算処理（ｔｎｏｗ−ｔｐ）の結果に応じた所定の短縮率を設定する（ＳＴ４１４）。
【０１４８】
そして、再生処理を開始すると、ダイジェスト再生用ＩＤの検出を行う（ＳＴ４１５）。
【０１４９】
ダイジェスト再生用ＩＤが検出されると、検出したＩＤに基づいて所定の情報区間のダイジェスト再生を行うと、選択されたＩＤのサブ区間は、演算処理（ｔｎｏｗ−ｔｐ）の結果に応じた短縮率でダイジェスト再生が行われ、選択されたＩＤ以外のＩＤの情報区間は通常のダイジェスト再生が行われる（ＳＴ４１６）。
【０１５０】
ダイジェスト再生用ＩＤが検出されない場合、スキップ再生処理が行われる（ＳＴ４１７）。
【０１５１】
そして、「モード１」でのダイジェスト再生を終了する場合は、動作終了となり、記録モードを終了しない場合は、動作モードを変更するか否かを選択する（ＳＴ４１８）。
【０１５２】
動作モードを変更しない場合は、再度、区間判別処理へ移行する（ＳＴ４１８→図６▲４▼のＳＴ３０７→・・・）。
【０１５３】
動作モードを変更する場合は、再度、動作モード判別処理へ移行する（ＳＴ４１８→図４▲１▼のＳＴ１０１）。
【０１５４】
また、再生しようとする現時点から最も近い時間のサブ区間のみ短縮率を小さくするように設定することも可能であり、例えば、図８（ｂ）のように、上述した天気情報などのサブ区間１〜３を有している場合、サブ１とサブ２に短縮率７０％に設定し、サブ３に短縮率３０％を設定すると、サブ１とサブ２は通常のダイジェスト再生時間の３０％でダイジェスト再生が行われ、サブ３は通常のダイジェスト再生時間の７０％でダイジェスト再生が行われる。
【０１５５】
また、再生しようとする現時点から前の時間になるほどサブ区間の短縮率を順次大きく設定することも可能であり、例えば、図８（ｃ）のように、上述した天気情報などのサブ区間１〜３を有している場合、例えば、サブ１に短縮率７０％、サブ２に短縮率５０％、サブ３に短縮率３０％というように設定すると、サブ１は通常のダイジェスト再生時間の３０％、サブ２は通常のダイジェスト再生時間の５０％、サブ３は通常のダイジェスト再生時間の７０％でダイジェスト再生が行われる。
【０１５６】
なお、ダイジェスト再生時間の短縮率を設定する場合において、ＭＰＥＧなどで情報信号が記録されている場合など、再生しようとする現時点におけるピクチャー（Ｉ、Ｂ、Ｐ）情報の配置状態の前後関係（位置関係）に基づいて短縮率を変化させて設定するようにすることもできる。
【０１５７】
このように、各サブ区間の短縮率を変化させて設定できるので、例えば、図８（ｂ）、（ｃ）のように再生しようとする現時点から見て古いサブ区間ほど、通常のダイジェスト再生より早いスピードで再生する、など効率よくダイジェスト再生を行うことができる。
【０１５８】
【発明の効果】
以上説明したように、装置に記録した情報信号（映像信号、音声信号）の再生を開始する時点に応じてダイジェスト再生する所望の情報信号を選択し、この情報信号のダイジェスト再生の再生時間を変化させるなどの処理を施すことができるので、例えば、再生を開始する現時点から見て時間が経過した情報ほど、通常のダイジェスト再生より早いスピードでダイジェスト再生するなど、ダイジェスト再生方法に変化をつけることが可能となり、効率的、且つ、効果的なダイジェスト再生ができる。
【図面の簡単な説明】
【図１】本発明に係る情報信号処理装置及び情報信号処理方法の情報信号処理の概要を説明するために略示的に示した説明図である。
【図２】本発明に係る情報信号処理装置及び情報信号処理方法の情報信号処理の概要を説明するために略示的に示した説明図である。
【図３】本発明に係る情報信号処理装置の構成を略示的に示したブロック図の一例である。
【図４】図３の情報信号処理装置における記録モードの動作の一例を示したフローチャートである。
【図５】図３の情報信号処理装置において、通常再生モードで再生処理を行う場合の動作の一例を示したフローチャートである。
【図６】図３の情報信号処理装置において、ダイジェスト再生モードで再生処理を行う場合の動作の一例を示したフローチャートである。
【図７】図３の情報信号処理装置の「特殊」モードのダイジェスト再生処理において、モード別（「モード１」／「モード２」）ダイジェスト再生処理の動作の一例を示したフローチャートである。
【図８】図６及び図７で示したダイジェスト再生処理の動作を略示的に示した説明図である。
【符号の説明】
１００；情報信号処理装置
１０１；音声Ａ／Ｄ変換処理系
１０２；音声エンコーダー処理系
１０３；多重化処理系
１０４；記録処理系
１０５；記録媒体系
１０６；映像Ａ／Ｄ変換処理系
１０７；映像エンコーダー処理系
１０８；再生制御系
１０９；音声信号特徴抽出系
１１０；映像信号特徴抽出系
１１１；再生処理系
１１２；再生データ分離処理系
１１３；音声デコード処理系
１１４；音声Ｄ／Ａ変換処理系
１１５；映像デコード処理系
１１６；映像Ｄ／Ａ変換処理系
１１７；識別信号検出系
１１８；システムコントローラー系
１１９；ユーザー入力Ｉ／Ｆ系
【図１】
2004040145.tif 000003
【図２】
2004040145.tif 000004
【図３】
2004040145.tif 000005
【図４】
2004040145.tif 000006
【図５】
2004040145.tif 000007
【図６】
2004040145.tif 000008
【図７】
2004040145.tif 000009
【図８】
2004040145.tif 000010